(57)【要約】通信システム及び通信方法が開示される。この方法において、第１形式の通信サービスがステーション(1)に対して提供され、第１ネットワークエンティティ(3)が通信サービスを提供するための制御動作を与える。上記制御動作の一部分は、次いで、第１ネットワークエンティティ(3)から第２ネットワークエンティティ(4)へ中継される。第１及び第２のネットワークエンティティ間で情報が交換され、この情報は、上記ステーションに対する第２形式の通信サービスの提供に関連している。上記第２形式の通信サービスは、上記情報に基づいて上記ステーションに対して提供される。
2004524745.tif 000002
【特許請求の範囲】
【請求項１】
あるステーションに対して第１形式の通信サービスを提供し、第１ネットワークエンティティが第１無線アクセスシステムにおいて上記通信サービスを提供するための制御動作を与えるようにし、
上記制御動作の一部分を上記第１ネットワークエンティティから第２ネットワークエンティティへ中継し、該第２ネットワークは、第２無線アクセスシステムにおいて上記通信サービスを提供するための制御動作を与え、上記第１及び第２無線アクセスシステムは、上記第１形式の通信サービスを提供し、
第２形式の通信サービスの提供に関連した情報を上記第１及び第２ネットワークエンティティ間で交換し、上記第２ネットワークエンティティは、第３無線アクセスシステムにおいて上記通信サービスを提供するための制御動作も与え、そして
上記情報に基づいて、上記第３無線アクセスシステムにおいて上記ステーションに対し上記第２形式の通信サービスを提供する、
という段階を備えた通信システムにおける方法。
【請求項２】
上記第１形式の通信サービスに基づいて第１セッションを確立し、
上記第１セッションを保留状態に入れ、そして
上記第１セッションの通信サービスを、上記第２形式の通信サービスに合致するように変更することにより第２セッションを確立する、
という段階を更に備えた請求項１に記載の方法。
【請求項３】
上記第１又は第２形式の通信サービスにより与えられるセッションの通信チャンネルリソースの構成を変更する請求項１又は２に記載の方法。
【請求項４】
上記情報は、上記第２形式の通信サービスに必要とされる特性に関連される請求項１ないし３のいずれかに記載の方法。
【請求項５】
上記必要な特性は、チャンネル形式を記述するパラメータにより指示される請求項４に記載の方法。
【請求項６】
上記第２ネットワークエンティティは、無線アクセスシステムの制御エンティティに、上記第２形式の通信サービスに関連した情報を与える請求項１ないし５のいずれかに記載の方法。
【請求項７】
上記制御エンティティは、上記第２ネットワークエンティティから受信した情報に基づいて無線チャンネルリソースを与える請求項６に記載の方法。
【請求項８】
上記制御エンティティは、上記第２形式の通信サービスを提供するのに使用される無線チャンネルリソースを決定する請求項７に記載の方法。
【請求項９】
上記制御エンティティは、上記第２形式の通信サービスを提供するために使用すると決定した無線チャンネルリソースの情報をネットワークエンティティへ信号する請求項６ないし８のいずれかに記載の方法。
【請求項１０】
上記情報は、上記第２ネットワークエンティティに信号され、そしてその第２ネットワークエンティティから上記第１ネットワークエンティティへ転送される請求項９に記載の方法。
【請求項１１】
通信サービスの提供に関連した情報は、移動アプリケーションパート（ＭＡＰ）のようなプロトコルに基づくメッセージにより搬送される請求項１ないし１０のいずれかに記載の方法。
【請求項１２】
通信サービスの提供に関連した上記情報は、ハンドオーバー手順に直接関連しないメッセージにおいて搬送される請求項１ないし１１のいずれかに記載の方法。
【請求項１３】
上記情報は、上記移動アプリケーションパートプロトコルの順方向アクセスシグナリング要求又はプロセスアクセスシグナリング要求のようなメッセージにより搬送される請求項１１又は１２に記載の方法。
【請求項１４】
上記ステーションからの第１ベアラ能力指示に基づいて上記ステーションに対して第１セッションが与えられ、そして上記ステーションからの第２ベアラ能力指示に基づき上記ステーションに対して第２セッションが与えられる請求項１ないし１３のいずれかに記載の方法。
【請求項１５】
上記ステーションからの少なくとも２つのベアラ能力指示に基づいて上記ステーションに対してセッションが与えられる請求項１ないし１３のいずれかに記載の方法。
【請求項１６】
上記第２形式の通信チャンネルリソースに関する情報を含む情報エレメントは、上記第１及び第２ネットワークエンティティ間に信号される無線アクセスネットワークアプリケーションパート（ＲＡＮＡＰ）メッセージに埋め込まれる請求項１ないし１５のいずれかに記載の方法。
【請求項１７】
上記ステーションにより要求された中間の通信サービスに対して上記第２形式の通信サービスが提供される請求項１ないし１６のいずれかに記載の方法。
【請求項１８】
第３世代の通信サービスに基づいて少なくとも１つの形式の通信サービスが提供される請求項１ないし１７のいずれかに記載の方法。
【請求項１９】
上記通信サービスは、ユニバーサル移動テレコミュニケーションサービス（ＵＭＴＳ）に基づいて提供される請求項１８に記載の方法。
【請求項２０】
移動通信用のグローバルシステム（ＧＳＭ）に基づいて上記通信サービスの少なくとも１つの形式が提供される請求項１ないし１９のいずれかに記載の方法。
【請求項２１】
アクセスエンティティから中継ネットワークエンティティへ通信サービスの要求を送信することにより、あるステーションに対する通信サービスの提供を開始し、
上記中継ネットワークエンティティから固定ネットワークエンティティへアクセス処理の要求をシグナリングし、
上記アクセスエンティティにより要求された通信サービスの提供に関連した情報を上記中継及び固定ネットワークエンティティ間で交換し、そして
上記情報に基づいて上記ステーションに対し上記要求された通信サービスを提供する、
という段階を備えた通信システムにおける方法。
【請求項２２】
あるステーションに対し第１形式のベアラを提供するための第１及び第２通信手段と、
上記ステーションに対し第２形式のベアラを提供するための第３通信手段と、
上記第１通信手段を制御するための第１ネットワークエンティティと、
上記第２及び第３通信手段を制御するための第２ネットワークエンティティと、
を備え、上記第１形式のベアラの提供に関連した上記第１ネットワークエンティティによる制御ファンクションの一部分を、上記第２ネットワークエンティティに中継することができ、そして
上記ステーションに対し上記第２形式のベアラの提供に関連した情報を交換するために上記第１エンティティと第２エンティティとの間にインターフェイス手段を備え、これにより、上記第３通信手段は、上記情報に基づいて上記ステーションに対し上記第２形式のベアラを提供するように構成された通信システム。
【発明の詳細な説明】
【技術分野】
【０００１】
本発明は、通信システムに係り、より詳細には、複数の通信ネットワークより成る通信システムに係るが、これに限定されない。
【背景技術】
【０００２】
通信ネットワークは、通常、ネットワークの種々の要素が何を行うことが許されそしてそれをいかに達成すべきか、即ちネットワークにおいて通信の基礎となる技術を規定する所定の規格又は仕様書に基づいて動作する。この規格は、ネットワークのユーザ又はより正確にはユーザ装置に回路交換サービス及び／又はパケット交換サービスが提供されるかどうか規定する。又、この規格は、接続のために使用しなければならない通信プロトコルも規定する。ネットワークにおける通信セッションに対して必要とされる１つ以上のパラメータも、通常、規定される。
【０００３】
換言すれば、この規格は、通信システム内の通信の基礎となる「ルール」及びパラメータを規定する。種々の規格及び／又は仕様書は、例えば、ＧＳＭ（移動通信用のグローバルシステム）又は種々のＧＳＭベースのシステム（ＧＰＲＳ即ち汎用パケット無線サービスのような）、ＥＤＧＥ（ＧＳＭ進化のための改善型データレート）、ＡＭＰＳ（アメリカン移動電話システム）、ＤＡＭＰＳ（デジタルＡＭＰＳ）、或いは第３世代（３Ｇ）の通信システム、例えば、ユニバーサル移動テレコミュニケーションシステム（ＵＭＴＳ）、ＩＭＴ２０００（国際移動テレコミュニケーションシステム２０００）、ｉ−フォン、等々の仕様書を含むが、これらに限定されない。
【０００４】
通信ネットワークを経て通信するのに使用されるユーザ装置は、ネットワークの「ルール」に適合するように設計されねばならない。又、ユーザ装置は、２つ以上の技術に適合するように構成されてもよく、即ちユーザ装置は、異なる形式の通信サービスに基づいて通信してもよい。このようなユーザ装置は、しばしばマルチモードターミナルとも称される。マルチモードターミナルの基本的な例は、２つの異なる通信ネットワークに適合するように構成されたデュアルモード移動ステーションである。
【０００５】
通信ネットワークは、セルと称するアクセスエンティティより成るセルラー無線ネットワークであり、従って、「セルラーシステム」と称される。ほとんどの場合に、セルは、そのセル内のユーザ装置（ＵＥ）にサービスする少なくとも１つのベーストランシーバステーション（ＢＴＳ）によりカバーされたあるエリアとして定義することができる。
【０００６】
１つのアクセスエンティティ内のユーザ装置（ＵＥ）は、１つ又は多数の制御エンティティにより制御することができる。制御エンティティは、例えば、ＧＳＭシステムのベースステーションコントローラ（ＢＳＣ）や、第３世代システムの無線ネットワークコントローラ（ＲＮＣ）のような無線ネットワークコントローラを含む。アクセスネットワークコントローラは、適当なコアネットワーク（ＣＮ）制御エンティティと通信する。コアネットワークエンティティは、移動交換センター（ＭＳＣ）、サービングＧＰＲＳサポートノード（ＳＧＳＮ）、及び種々のゲートウェイノード、例えば、ゲートウェイＧＰＲＳサポートノード（ＧＧＳＮ）又はゲートウェイ移動交換センター（ＧＭＳＣ）のような制御ノードを含む。制御エンティティの上記リストは、これで全部ではなく、ネットワークにおいて他のエンティティを実施することもできる。又、ネットワークエンティティは、ネットワークと契約するか又はネットワークを訪れるユーザ装置に関連した情報を記憶するノード、例えば、適当なホーム位置レジスタ（ＨＬＲ）及びビジター位置レジスタ（ＶＬＲ）を含んでもよい。実施形態に基づいて、レジスタノードは、別のネットワークエンティティと一体化されてもよい。
【０００７】
セルラーシステムは、ユーザ装置がワイヤレスインターフェイスを経てネットワークシステムと通信するための移動性を与える。ユーザ装置は、あるアクセスエンティティから別のアクセスエンティティへ切り換えることができる。アクセスエンティティの切り換えは、例えば、ユーザ装置が移動するとき、即ちあるセルから別のセルへローミングするときに行われる。ユーザ装置は、あるネットワークシステムから別のネットワークシステムへ切り換えできるが、それは、ユーザ装置がその別のシステムの規格にも適合する場合である。
【０００８】
ユーザ装置が進行中の（アクティブな）接続と共に移動できるようにするために、通信システムは、サービング（サービス中）制御エンティティから別の制御エンティティへと接続をハンドオーバーするよう構成される。接続のハンドオーバーは、他の理由でも必要とされる。例えば、パケット交換接続のクオリティが所定スレッシュホールドレベルより下がったり、アクセスエンティティが著しく混雑したり、ユーザが通信サービスの形式やプロバイダーの切り換えを希望したり、等々がある。
【０００９】
又、ハンドオーバーは、異なるネットワークシステムに属する２つのエンティティ間でも実行できねばならない。新たなセルが、以前のセルと同様のシステムによってサービスされない場合には、異なる通信技術及び「ルール」に基づく通信システム間でハンドオーバーを実行することが必要となる。
異なる通信システム（即ち異なる通信技術に基づくシステム）のノード間でハンドオーバーを行わねばならないときには、「新たな」（即ちターゲットの）通信システムと「古い」通信システムの種々の要素の動作が相違するために、「新たな」接続を適切に設定することができないと考えられる。
【００１０】
図１は、公知システムの制約の一例を示す。より詳細には、この例は、ユーザ装置がＧＳＭ及びＵＭＴＳセッションを有する通信システムに係る。「セッション」という語は、ユーザ装置が行い得る任意の形式の通信、例えば、スピーチコール、データコール（例えば、ウェブブラウジング）等々を指す。
ユーザは、既存のコール又は他の通信セッションを保留状態に入れて、別のセッションを確立することができる。保留形式のサービスは、サーバーユーザ装置が既存のアクティブなセッションの通信を遮断し、その後、もし希望すれば、セッションを再確立することができるようにする。トラフィックチャンネルは、通信が遮断した後にユーザ装置に指定されたままとなり、他の通信セッションの発信又は考えられる着信を行えるようにする。
【００１１】
「デュアルサービスのサポート」と称するサービス特徴も知られている。このサービス特徴は、ポイント対ポイント接続にある２人のユーザがその接続を使用して、同時ではないが単一のセッション中に異なる形式の情報転送を行えるようにする。即ち、通信の形式が変化してもセッションを続けることができる。この形式のサービスは、例えば、スピーチ通信の後にデータ通信が続き、スピーチと無制限のデータとが互いに交互に通信されるような補足的サービスを含む。
【００１２】
中間コール及びデュアルサービスのようなサービスは、ある場合には、チャンネル構成の切り換えを必要とする。しかしながら、チャンネル構成の切り換えは、２つの異なるネットワークにおいて同様にサポートされるのではなく、ネットワークの１つは、構成切り換えメカニズムをサポートしないことがある。
コール確立中のネゴシエーションがこの種のサービスの確認へと通じる場合には、現在コールセッション内に、あるコールモードから別のコールモードへ切り換えることによりコール内変更手順を実行することが許される。しかしながら、コール内変更手順は、以前に割り当てられたチャンネルを保持しながら、チャンネル構成を切り換えることが必要である。この必要な切り換えは、新たなチャンネルの割り当て、チャンネル構成パラメータの変更等を含む。
【００１３】
本発明者は、異なる通信サービス間のハンドオーバーでは、この形式のサービス特徴の利用性が制限されることが分かった。例えば、ＧＳＭ及びＵＭＴＳネットワークより成る通信システムでは、上記サービスをサポートすることができない。というのは、異なるネットワークエンティティは、このような切り換えを行い得るに必要な情報を常に互いに与えることができないからである。更に、デュアルサービスのようなサービス特徴が使用されるか、又は中間コールがハンドオーバーの前に確立される場合に、これは、提供されるサービスが変更された後にシステム間ハンドオーバーが首尾良く行われるのを妨げることがある。
【発明の開示】
【発明が解決しようとする課題】
【００１４】
図１のＵＭＴＳ／ＧＳＭの例では、中継制御エンティティ（ＭＳＣ−Ｂ）として動作する制御エンティティにおいてＵＭＴＳからＧＳＭへのハンドオーバーが行われた後に問題が生じる。このようなハンドオーバーは、実質的に頻繁に発生することが予想される。これは、例えば、ＵＭＴＳサービスにより与えられるカバレージが制限されるためである。又、オペレータは、特定のサービス（例えばスピーチ又はファックスサービス）を提供するのに使用される無線技術の形式を制御することも希望する。又、オペレータは、ユーザの特定のクラスに対して提供されるサービス、例えば、他の国のネットワークから訪問する加入者又は第２世代（２Ｇ）の加入者に対して提供されるサービスを制御することも希望する。
【００１５】
より詳細には、図１の形式の構成では、次の手順が実行される。
ＵＭＴＳにおけるセッション設定段階では、ユーザ装置がベアラ能力（ＢＣ．１）情報エレメント（ＩＥ）をネットワークに送信する。ベアラ能力エレメント内の情報に基づいて、サービングＭＳＣ（ＭＳＣ−Ａ）は、無線ベアラの確立に必要とされるＵＭＴＳサービスクオリティ（ＱｏＳ）パラメータを導出する。ベアラ能力情報エレメントパラメータは、セッション設定中にサービスクオリティ（ＱｏＳ）無線アクセスベアラ（ＲＡＢ）パラメータへマップすることができる。当業者であれば、マッピング動作に精通しているであろう。マッピングに関する更なる情報は、例えば、３ＧＰＰ（第３世代パートナーシッププロジェクト）技術仕様書第ＴＳ２３．１０７号及び第ＴＳ２３．９１０号から分かるであろう。
【００１６】
ＵＭＴＳからＵＭＴＳのインターＭＳＣ（即ちイントラシステム）ハンドオーバーは、サービング即ち固定制御エンティティ（ＭＳＣ−Ａ）がＵＭＴＳのＱｏＳパラメータをターゲット即ち中継制御エンティティ（ＭＳＣ−Ｂ）へ送信するようにして実行される。ＵＭＴＳからＵＭＴＳのインターＭＳＣイントラシステムハンドオーバーの後に、無線アクセスネットワークアプリケーションパート（ＲＡＮＡＰ）は、２つの制御エンティティ（ＭＳＣ−Ａ及びＭＳＣ−Ｂ）間のインターフェイスを経てシグナリングするためのアクセスネットワークプロトコルとして使用することができる。
【００１７】
ＵＭＴＳのコアネットワーク（ＣＮ）ファンクションがＧＳＭサービスに向うハンドオーバー（ＵＭＴＳからＧＳＭへのハンドオーバー）を実行する必要がある場合には、中継制御エンティティ（ＭＳＣ−Ｂ）は、固定エンティティ（ＭＳＣ−Ａ）により与えられるＧＳＭトラフィックチャンネルパラメータを使用することによりＧＳＭへのインターシステムハンドオーバーを実行する。
【００１８】
ユーザは、進行中のコールを保留状態に入れてデータコールを確立したいことがある。コール設定において、ユーザ装置は、サービスについて記述するベアラ能力（ＢＣ）を、中継制御エンティティ（ＭＳＣ−Ｂ）を経て透過的に固定制御エンティティ（ＭＳＣ−Ａ）へ送信する。固定ＭＳＣは、次いで、ユーザがその特定サービスを得ることが許可されたかどうか等々について分析を進めることができる。固定ＭＳＣは、中継制御エンティティ（ＭＳＣ−Ｂ）及びサービングＧＳＭ  ＢＳＳに向けて指定の手順を開始する。
【００１９】
しかしながら、中継制御エンティティは、アクティブなコールに関連したチャンネルパラメータしか気付かない。第２コールのパラメータは、アクティブなコールのパラメータと異なってもよい。
本発明者は、これが問題であると分かった。ユーザがこの時点で進行中のセッションを保留し、そして新たなチャンネルを割り当てることによりチャンネル構成の変更を要求する新たなセッションを確立する場合に、公知の構成ではセッションの確立が失敗となる。というのは、新たなチャンネルの記述を中継制御エンティティ（ＭＳＣ−Ｂ）が知らないからである。より詳細には、図１の構成ではコールの確立が失敗となる。というのは、中間のデータコールに関連され且つトラフィックチャンネル指定に必要とされるＧＳＭチャンネル形式の情報エレメントは、コントローラ間のＥインターフェイスを経てターゲットコントローラに送信できないからである。デュアルサービス、又はコール内変更が必要となる他のサービスの場合にも、同じ理由でコール確立が失敗となる。例えば、これは、スピーチサービスの後にデータサービスが続くときに生じ得る。
【課題を解決するための手段】
【００２０】
本発明の実施形態は、上述した問題の１つ以上に対処することに向けられる。
本発明の１つの特徴によれば、通信システムにおける方法であって、
あるステーションに対して第１形式の通信サービスを提供し、第１ネットワークエンティティが第１無線アクセスシステムにおいて上記通信サービスを提供するための制御動作を与えるようにし、
上記制御動作の一部分を上記第１ネットワークエンティティから第２ネットワークエンティティへ中継し、該第２ネットワークは、第２無線アクセスシステムにおいて上記通信サービスを提供するための制御動作を与え、上記第１及び第２無線アクセスシステムは、上記第１形式の通信サービスを提供し、
第２形式の通信サービスの提供に関連した情報を上記第１及び第２ネットワークエンティティ間で交換し、上記第２ネットワークエンティティは、第３無線アクセスシステムにおいて上記通信サービスを提供するための制御動作も与え、そして
上記情報に基づいて、上記第３無線アクセスシステムにおいて上記ステーションに対し上記第２形式の通信サービスを提供する、
という段階を備えた方法が提供される。
【００２１】
本発明の別の特徴によれば、通信システムにおける方法であって、
アクセスエンティティから中継ネットワークエンティティへ通信サービスの要求を送信することにより、あるステーションに対する通信サービスの提供を開始し、
上記中継ネットワークエンティティから固定ネットワークエンティティへアクセス処理の要求をシグナリングし、
上記アクセスエンティティにより要求された通信サービスの提供に関連した情報を上記中継及び固定ネットワークエンティティ間で交換し、そして
上記情報に基づいて上記ステーションに対し上記要求された通信サービスを提供する、
という段階を備えた方法が提供される。
【００２２】
本発明の更に別の特徴によれば、あるステーションに対し第１形式のベアラを提供するための第１及び第２通信手段と、
上記ステーションに対し第２形式のベアラを提供するための第３通信手段と、
上記第１通信手段を制御するための第１ネットワークエンティティと、
上記第２及び第３通信手段を制御するための第２ネットワークエンティティと、
を備え、上記第１形式のベアラの提供に関連した上記第１ネットワークエンティティによる制御ファンクションの一部分を、上記第２ネットワークエンティティに中継することができ、そして
上記ステーションに対し上記第２形式のベアラの提供に関連した情報を交換するために上記第１エンティティと第２エンティティとの間にインターフェイス手段を備え、これにより、上記第３通信手段は、上記情報に基づいて上記ステーションに対し上記第２形式のベアラを提供するように構成された通信システムが提供される。
【００２３】
本発明の実施形態は、異なる通信ネットワークにおける通信チャンネルに関してネットワークエンティティ間に情報を提供できるようにする。この情報は、新たなコントローラエンティティが情報からセッションを導出できるようにアクティブなセッションの特性を記述することができる。
【発明を実施するための最良の形態】
【００２４】
本発明を良く理解するために、添付図面を参照して本発明を一例として説明する。
移動ユーザ装置に対する通信サービスを提供するための通信システムを示す図２を参照して説明する。ユーザ装置は、通信システムの複数のベース（トランシーバ）ステーション（ＢＴＳ）とワイヤレス通信することのできる移動ステーション（ＭＳ）１より成る。各ベースステーション６、１０は、移動ステーションへとダウンリンク方向に無線信号を送信すると共に、移動ステーション１からアップリンク方向に無線信号を受信することのできる無線トランシーバを有する。従って、ベースステーションは、無線トランシーバをそれ自体含む移動ステーション（ＭＳ）と通信することができる。
【００２５】
図２の通信システムは、ＵＭＴＳ及びＧＳＭネットワークの要素を備えている。図示されたシステムは、コアネットワーク（ＣＮ）部分２と、ＵＭＴＳ地上無線アクセスネットワーク（ＵＴＲＡＮ）部分８、１８と、ＧＳＭ無線アクセスネットワーク部分９とを含むと理解されたい。システムの要素及び要素間のインターフェイスについて、以下に詳細に述べる。コアネットワーク（ＣＮ）部分２は、外部ネットワーク（図示せず）に接続することができる。
【００２６】
図２は、２つのコアネットワーク制御エンティティ、即ち２つの移動サービス交換センター（ＭＳＣ−Ａ、ＭＳＣ−Ｂ）３、４を示す。図２の状態において、制御エンティティ３は、移動ステーション１の固定制御エンティティを構成することが明らかである。これは、移動ステーション１の通信セッションの制御がこのコントローラに「固定」されたことを意味する。制御エンティティ３は、コールを制御すると共に、コール中に、即ち基本的又はその後のハンドオーバーの前、間及び後に、移動ステーションの移動管理を制御する。専用のリソースに関連した手順（例えば、ＢＳＳＡＰ／ＲＡＮＡＰ手順）を移動ステーション１に向って実行しなければならないときには、これらの手順を制御エンティティ３（ＭＳＣ−Ａ）により開始して駆動することができる。非アクセス層シグナリング（通常、コール制御及び移動管理）は、第２の制御エンティティ４（ＭＳＣ−Ｂ）により制御エンティティ３（ＭＳＣ−Ａ）と移動ステーション１との間で透過的に中継される。
【００２７】
イントラＭＳＣハンドオーバーでは、第２の制御エンティティ４（ＭＳＣ−Ｂ）が、全イントラＭＳＣハンドオーバー手順の制御を保持する。インターＭＳＣハンドオーバーの場合には、制御エンティティ４（ＭＳＣ−Ｂ）の役割は、そのエリア内の無線リソースの制御を与えることだけである。これは、中継制御エンティティ４（ＭＳＣ−Ｂ）が、それ自身のエリアのもとでＧＳＭベースステーションコントローラ１１又はＵＭＴＳ無線ネットワークコントローラ７に向う無線リソースの接続及び解除の制御を保持することを意味する。
【００２８】
ネットワーク制御エンティティ３及び４は、互いに通信することができる。シグナリングトラフィックを搬送するために、Ｅ−インターフェイスと称されるインターフェイスが制御エンティティ間に設けられている。
明瞭化の理由で図示されていないが、移動交換センターは、加入者関連情報のためのレジスタ、例えば、ビジター位置レジスタ（ＶＬＲ）を備えている。図２のＭＳＣ制御エンティティ４は、ＵＭＴＳ及びＧＳＭベースの接続の両方をサポートするように設計されている。図２のＭＳＣ制御エンティティ３は、少なくともＵＭＴＳベースの接続をサポートする。又、制御エンティティ３は、ＧＳＭベースの接続もサポートできるが、これは必要でない。
【００２９】
３つの無線アクセスネットワークサブシステム８、１８及び９も示されている。より詳細には、図１は、２つのＵＭＴＳ無線ネットワークシステム（ＲＮＳ）８及び１８を示している。ＵＭＴＳ無線アクセスネットワーク（ＵＴＲＡＮ）は、通常、１つ以上の無線ネットワークサブシステムより成る。各無線ネットワークサブシステムは、無線ネットワークコントローラ（ＲＮＣ）７及び１つ以上のベースステーション（ＢＴＳ）６とで構成される。
【００３０】
ＵＭＴＳでは、ＵＴＲＡＮアクセスネットワークとコアネットワーク（ＣＮ）との間のシグナリングプロトコルは、ＲＡＮＡＰである。ＲＡＮＡＰは、３ＧＰＰ仕様書第ＴＳ２５．４１３号に詳細に規定されている。ＲＡＮＡＰのファンクションは、例えば、無線リソース管理（例えば、セッションの設定、変更、解除）と、ある無線ネットワークコントローラから別の無線ネットワークコントローラへのサービング無線ネットワークコントローラファンクションのリロケーションである。
【００３１】
又、ＧＳＭ無線アクセスネットワーク９も、２つ以上のベースステーションサブシステム（ＢＳＳ：図示せず）で構成される。各ベースステーションサブシステムは、ベースステーションコントローラ（ＢＳＣ）１１と、１つ以上のベースステーション（ＢＴＳ）１０とで構成される。ＧＳＭ無線アクセスネットワークとコアネットワーク（ＣＮ）との間のシグナリングプロトコルは、通常、ベースステーションサブシステムアプリケーションパート（ＢＳＳＭＡＰ）をベースとする。このベースステーションサブシステムアプリケーションパート（ＢＳＳＭＡＰ）は、３ＧＰＰ仕様書第ＴＳ４８．００８に詳細に規定されている。このＢＳＳＭＡＰは、例えば、単一コール及びリソース管理に関連した情報の解釈及び処理を必要とするコアネットワークとベースステーションサブシステムとの間の全ての手順をサポートする。
【００３２】
２つの通信ネットワークが重畳してもよいことを理解されたい。即ち、あるエリアを両通信システムの無線アクセスネットワークでカバーすることができる。
ＵＭＴＳ無線アクセスネットワークのベースステーションは、しばしばノードＢと称される。ノードＢ及びベースステーションＢＴＳのオペレーションは、互いに論理的に対応する。又、ＧＳＭベースステーションＢＴＳ及びＵＭＴＳノードＢのファンクションは、１つのエンティティにより実施することもでき、即ちベーストランシーバステーションがＧＳＭシステム及びＵＭＴＳシステムの両方にサービスできることも明らかであろう。
【００３３】
移動ステーションには、ＵＭＴＳアクセスネットワーク８又は１８のノードＢ６を経て又はＧＳＭアクセスネットワーク９のベースステーション１０を経てベアラを与えることができる。
ステーション６及び１０は、各無線ネットワークコントローラノード７及び１１により制御されることが示される。無線ネットワークコントローラは、次いで、ネットワークエンティティ３及び４により制御されるように構成される。
ＧＳＭネットワークのベースステーションサブシステム（ＢＳＳ）９は、ベースステーション１０を制御するためのベースステーションコントローラ（ＢＳＣ）１１を備えている。ＵＭＴＳ無線アクセスネットワーク８のＲＮＣ７及びＧＳＭアクセスネットワーク９のベースステーションコントローラＢＳＣ１１は、互いに論理的に対応する。
【００３４】
各無線ネットワークコントローラは、ベースステーションの無線リソースを制御するという役割を果たす。又、無線ネットワークコントローラは、コアネットワーク（ＣＮ）２にインターフェイスすると共に、ＵＭＴＳの無線リソース制御（ＲＲＣ）プロトコル及びＧＳＭの無線リソースプロトコル（ＲＲ）を終了させる。無線リソース制御（ＲＲＣ）プロトコルは、ユーザ装置とアクセスネットワークとの間のメッセージ及び手順を定義する。無線ネットワークの制御ファンクションを実施するのに他の制御ノードも使用できることが明らかであろう。
【００３５】
コアネットワーク２と、ＵＭＴＳ無線アクセスネットワーク８及び１８との制御エンティティ間のインターフェイスは、いわゆるＩｕインターフェイスを経て設けることもできる。ＧＳＭ  ＢＳＳ９は、Ａ−インターフェイスを経て制御エンティティＭＳＣ−Ｂ４をインターフェイスすることができる。Ａ−インターフェイスは、ＧＳＭシステムの回路交換接続を与える。無線アクセスネットワークとコアネットワークとの間に他のインターフェイスを設けることもできるが、これらは、本発明を理解する上で必要なく、従って、図示も詳細な説明もしない。
【００３６】
移動ユーザ装置又はステーション１と適当な無線ステーションとの間の無線接続中に、移動ステーションは、ＧＳＭベースステーション１０又はＵＭＴＳノードＢ６のいずれかを経て各制御エンティティとの接続をもつことができる。
移動ステーションを、あるアクセスエンティティ（古いアクセスエンティティ）から別のアクセスエンティティ（新たなアクセスエンティティ）へリロケーションすべきであるか、又は移動ステーションに対し別の通信セッションを確立すべきである場合には、移動ステーションの無線チャンネルを変更することが必要になる。無線チャンネルは、移動ステーションが、古いアクセスエンティティの無線ステーション及び関連ネットワーク装置と通信するのと同様に、新たなアクセスエンティティの無線ステーション及び関連ネットワーク装置と通信するように変更することが必要である。
【００３７】
新たなアクセスエンティティの無線チャンネルが、セッション中に古いアクセスエンティティを経てユーザに対して与えられた全ての特徴をサポートできないか、又は新たな無線チャンネルが異なるパラメータに基づいて定義されることが考えられる。本発明の実施形態は、無線チャンネルを２つの異なるアクセスエンティティにおいて確立する必要がある状態に向けられる。
より詳細には、上述したデュアルサービスのようなサービスに対して充分なサポートを与えるためには、コール内変更手順が必要とされる。コール内変更手順では、ある場合に、チャンネル構成を変更することが必要になる。これは、コールに対して新たなチャンネルを割り当てることにより行われるのが好ましい。
【００３８】
図２は、ＵＭＴＳからＵＭＴＳへのインターＭＳＣハンドオーバーを示し、ここでは、移動ステーション１がアクセスネットワーク８からアクセスネットワーク１８へリロケーションされる。このオペレーション中に、サービング即ち固定の制御エンティティ（ＭＳＣ−Ａ）３は、ＵＭＴＳのサービスクオリティ（ＱｏＳ）パラメータを中継制御エンティティ４へ送信する。サービスクオリティパラメータは、古いアクセスエンティティ８を経て移動ステーション１に対して与えられた無線チャンネルに関連付けされる。
【００３９】
ＵＭＴＳ無線アクセスネットワークでは、無線チャンネルは、上記サービスクオリティ（ＱｏＳ）パラメータに基づいて特徴付けされ即ち区別化される。しかしながら、ＧＳＭでは、無線チャンネルは、チャンネル形式パラメータに基づいて区別化される。チャンネル形式パラメータは、必要な無線チャンネルの特徴を記述する。必要な特徴は、スピーチ／データ／シグナリング；全レート／半レート／改善型全レート；トラフィックチャンネル数；透過的／非透過的データ；データレート等々の特徴を含む。
【００４０】
ＧＳＭシステムにおいて無線チャンネルを確立できるようにするために、その担当の制御エンティティは、チャンネル形式を知ることが必要である。中継制御エンティティがＵＭＴＳからＧＳＭのハンドオーバーを実行できるためには、固定制御エンティティ（ＭＳＣ−Ａ）が、中継制御エンティティ（ＭＳＣ−Ｂ）にＧＳＭチャンネル形式を通知できねばならない。
この情報は、ＧＳＭベースステーションサブシステム（ＢＳＳ）が接続の要求を理解できるように、進行中コールの特性を記述するパラメータに含ませることができる。これを可能にするために、固定制御エンティティ３は、ＧＳＭ制御エンティティが与えねばならないチャンネル形式に関する情報をターゲット即ち中継制御エンティティ（ＭＳＣ−Ｂ）４に送信してもよい。この情報は、接続が中継制御エンティティ４によりＧＳＭサービスへとハンドオーバーされる場合には後で使用されてもよい。
【００４１】
図２を参照して述べた特定の実施形態では、制御エンティティ３と４との間に送信されるメッセージに新たな情報パラメータが導入される。このパラメータは、ＧＳＭアクセスエンティティ９の無線リソースに関連した情報を含む。従って、パラメータは、以下、無線リソース情報（ＲＲＩ）パラメータと称される。
無線リソース情報パラメータは、ユーザ装置１により送信されるベアラ能力に基づいて固定制御エンティティ３により発生される。又、無線リソース情報パラメータは、中間コールの特性を記述するＧＳＭチャンネル形式情報エレメントを含む。デュアルサービスが使用される場合には、パラメータは、第２ベアラ能力により記述された第２セッションを記述する。
【００４２】
この目的に対して考えられる情報エレメントは、例えば、３ＧＰＰ仕様書ＴＳ４８．００８に詳細に規定されている。
無線リソース情報パラメータは、プロトコルメッセージ、例えば、移動アプリケーションパート（ＭＡＰ）メッセージに挿入することができる。例えば、無線リソース情報パラメータは、「ＭＡＰフォワード・アクセス・シグナリング」要求メッセージに挿入されるように示されている。
【００４３】
この「ＭＡＰフォワード・アクセス・シグナリング」要求メッセージは、ハンドオーバーの進行には関係せず、且つ無線リソース情報エレメントを搬送するプロトコルメッセージは、ハンドオーバーの進行に関連する必要がないことが明らかであろう。
無線リソース情報パラメータは、例えば、ＲＡＮＡＰメッセージを含むメッセージに含ませることができる。例えば、無線アクセスネットワークアプリケーションパート（ＲＡＮＡＰ）プロトコルがＵＭＴＳ無線アクセスネットワークに対して使用される場合には、固定エンティティ３が、カプセル化されたＲＡＮＡＰメッセージ「ＲＡＢアサイメント・リクエスト」を含むメッセージに対する無線リソース情報エレメントを含む。図２において、これは、メッセージステップ２により示され、ここでは、「ＭＡＰフォワード・アクセス・シグナリング」要求が固定制御エンティティ３から中継制御エンティティ４へ搬送されるものとして示されている。
【００４４】
ユーザ装置１は、第１コールを保留状態に入れた後にベアラ能力（ＢＣ）情報エレメント（ＩＥ）をネットワークへ送信することにより第２セッションを得るための動作を開始する。第１コールは、図１に示すように、例えば、ベアラ能力１に基づいて確立されたものである。ＢＣエレメントは、ユーザ装置により要求される中間サービスを記述する。
固定制御エンティティ３は、受信したベアラ能力（図２のＢＣ２）からＵＭＴＳ  ＱｏＳパラメータ及びＧＳＭチャンネル形式パラメータを導出する。無線リソース指定のために、固定制御エンティティ３は、ＵＭＴＳ  ＱｏＳパラメータを、層構成ファンクションモードの移動アプリケーションパート（ＭＡＰ）レベルで、無線アクセスベアラ（ＲＡＢ）指定要求及びＧＳＭチャンネル形式情報エレメント（ＩＥ）において送信する。
【００４５】
情報エレメントは、無線リソース情報パラメータに含まれる。中継制御エンティティ４は、無線リソース情報パラメータからＧＳＭチャンネル形式情報エレメントを抽出し、そのチャンネル形式情報を、ベースステーションサブシステムアプリケーションパート（ＢＳＳＭＡＰ）指定要求又はハンドオーバー要求メッセージにおいてＧＳＭベースステーションサブシステムＢＳＳ９へ更に送信する。
ベースステーションサブシステムは、チャンネル形式情報を受信し、そしてそれに応答して、無線チャンネル（又は多数のチャンネル）を選択する。しかしながら、固定エンティティ３は、ベースステーションサブシステム９の能力を知らないので、ベースステーションサブシステムに与えられるチャンネル形式情報は、単なる指示に過ぎず、ベースステーションサブシステムには、情報及び使用可能なリソースに最良に一致する無線チャンネルを選択する自由度を与えることが必要になる。
【００４６】
無線チャンネル指定の後に、ＧＳＭベースステーションサブシステム９は、選択された無線チャンネルに関する情報を中継制御エンティティ４へ送信する。この情報は、ベースステーションサブシステムアプリケーションパート（ＢＳＳＭＡＰ）指定応答又はハンドオーバー要求確認のようなメッセージにおいてシグナリングされる。中継制御エンティティ４は、次いで、第２コールに対して選択されたチャンネルの特性を記述する選択されたチャンネル情報エレメントを固定制御エンティティ３へ転送する。これは、「ＭＡＰプロセス・アクセス・シグナリング」要求にカプセル化された選択された無線リソース情報エレメントにより達成される。固定エンティティは、課金プロセスのような手順にこの情報を使用する。セッションがデータコールを含む場合には、固定エンティティがこの情報を使用して、新たなチャンネル形式に対処するようにインターワーキングファンクションを適応させることができる。
【００４７】
図３は、デュアルサービスが提供される場合に基本的な移動ステーション発信コールセッション確立手順を示すシグナリングフローチャートである。このコールセッション確立手順は、サービング制御エンティティ３へのサービス要求により開始される。認証及び暗号化プロセスも行われる。これらのオペレーションは、当業者に明らかであり、従って、これ以上詳細に説明しない。
設定シグナリング中に、移動ステーション１は、ベアラ能力１及びベアラ能力２に関する情報を送信する。これにより、移動ステーション１は、第１セッション中に別の通信セッションを確立しようとしていることをネットワークに通知する。即ち、ベアラ能力１は、コール接続確立手順の間に開始された第１コールセッションに対するものであり、そしてベアラ能力２は、第２セッション、例えば、第１セッション中に確立されるべきデータコールに対するものである。
【００４８】
図３は、公衆交換電話ネットワーク（ＰＳＴＮ）のような別のネットワークにおいて第１セッションを終了させるべき場合のシグナリングを示す。セッション確立に必要な通常のシグナリングは、コントローラエンティティ３と他のネットワークのエンティティとの間で行うことができる。警告及び接続シグナリングの後に、チャンネル割り当て及び構成を伴う第１のアクティブなコールセッションが移動ステーション１に対して与えられる。
【００４９】
図４は、第１コールの設定中に１つのベアラ能力だけが与えられる状態を示す。第２セッションの必要性が生じた場合には、アクティブなスピーチコールが保留状態とされ、そして中間コールセッションが行われる。「コール・ホールド」のような補足的サービスは、チャンネル構成を変更することが必要な別の例である。中間又は第２コールセッションに対する設定手順は、第１コールに対して行われた設定手順と同様である。
【００５０】
図５は、図２の通信システムにおいてチャンネル構成が変更されるインターシステムハンドオーバー（ＵＭＴＳからＧＳＭ）手順の間のシグナリングを示す。この実施形態は、ＵＭＴＳからＧＳＭへのハンドオーバーの後に新たなチャンネルを割り当てることによりチャンネル構成を変更できるインターフェイスを与える。
より詳細には、ソース無線ネットワークコントローラ６は、リロケーション要求メッセージ（１．）を中継ネットワーク制御エンティティ４へ送信する。中継制御エンティティ４は、ハンドオーバー要求メッセージ（２．）をターゲットベースステーションコントローラ１１へ送信する。ハンドオーバー要求メッセージは、セッションに対して使用すべきチャンネル形式に関する情報を含む。
【００５１】
要求（２．）に応答して、ベースステーションコントローラ１１は、要求された無線リソースを予約する。無線チャンネルの予約は、中継制御エンティティからのメッセージ（２．）においてチャンネル形式の上記情報によりセットされた限界内で実行される。
リソースの予約の後に、ベースステーションコントローラ１１は、ハンドオーバーの要求を確認する（３．）。この確認メッセージ（３．）は、ベースステーションコントローラがセッションに対して選択したところの選択されたチャンネルに関する情報を含む。
【００５２】
確認メッセージ（３．）に応答して、中継制御エンティティ４は、リロケーションコマンドメッセージ（４．）をソース無線ネットワークコントローラ６へ送信する。この無線ネットワークコントローラ６は、次いで、インターシステムハンドオーバーコマンド（５．）をユーザ装置１へ信号する。
ユーザ装置１は、ここで、新たな無線リソースにアクセスすることができる。ターゲットのベースステーションコントローラ１１は、ユーザ装置が新たな無線チャンネルにアクセスしたことを検出し、そしてハンドオーバー検出メッセージ（６．）を中継制御エンティティ４に送信する。
【００５３】
ユーザ装置１は、ハンドオーバーが首尾良く完了したことをベースステーションコントローラ１１に対して確認する（７．）。このメッセージに応答して、ベースステーションコントローラ１１は、中継制御エンティティ４に対してハンドオーバー進行の完了を確認する（８．）。
最後に、中継制御エンティティ４は、ハンドオーバーが実行されたことを固定制御エンティティ３に対して確認する（９．）。その後、ハンドオーバーの進行により予約されたＩｕインターフェイスリソースを解除することができる。
【００５４】
図６は、チャンネル変更手順の間に発生すると考えられるシグナリングを示す。ユーザ装置１は、ベアラ能力情報を含む設定メッセージ（１．）をサービングベースステーションコントローラ１１へ送信する。このベースステーションコントローラは、そのメッセージを中継制御エンティティ４へ転送し、該制御エンティティは、それを更に固定制御エンティティ３へ転送する。許可手順の後に、固定制御エンティティ３は、ＲＡＮＡＰメッセージ「ＲＡＢアサイメント・リクエスト」を「ＭＡＰフォワード・アクセス・シグナリング」要求において中継制御ユニット４へ信号する（図２のメッセージステップ２も参照）。これに応答して、中継制御エンティティ４は、ＢＳＳＭＡＰ指定要求（３．）をサービングベースステーションコントローラ１１に送信する。
【００５５】
次いで、ベースステーションコントローラは、無線チャンネル（１つ又は複数）を選択して、無線チャンネル変更手順を実行する。その後、確認／完了メッセージ（４．）が中継制御エンティティ４へシグナリングされる。これを受信するのに応答して、中継制御エンティティ４は、セッションに対して選択された無線チャンネル（１つ又は複数）の特性を記述する選択されたチャンネル情報を固定制御エンティティ３に転送する。これは、「ＭＡＰプロセス・アクセス・シグナリング」要求にカプセル化された選択された無線リソース情報エレメントによって達成されるように示されている。
【００５６】
図７は、ＵＭＴＳからＧＳＭへのハンドオーバーの後に移動ステーション１に対してトラフィックチャンネルが確立される状態を示す。この実施形態は、ユーザが新たなセッションを確立したいときに移動ステーション１がアクティブなコールセッションをもたない場合でも制御エンティティ３と４との間にユーザ平面を確立できるようにする。
より詳細には、（１．）において、ＵＭＴＳからＵＭＴＳへのイントラシステム（インターＭＳＣ）ハンドオーバーが達成される。（２．）において、ＵＭＴＳからＧＳＭへのハンドオーバーが達成される。ユーザは、これら手順の間にアクティブなベアラをもってもよいしもたなくてもよい。設定メッセージ（３．）の送信時間に、ユーザには、無線（Ｉｕ及びＡ）及びＥインターフェイスを経てシグナリング接続が与えられる。しかしながら、この段階では、スピーチコールのようなセッションは解除されている。
【００５７】
ユーザは、設定メッセージ（３．）を送信することにより新たなセッションを開始する。設定メッセージは、ベアラ能力（ＢＣ）を含む。その後、制御エンティティ４は、「ＭＡＰプロセス・アクセス・シグナリング」要求（設定）メッセージ（４．）を制御エンティティ３へ信号する。
ネットワークは、ハンドオーバーメッセージ（５．）によりリソースの予約を開始する。特定例では、メッセージは、「ＭＡＰ準備ハンドオーバー要求」メッセージである。このメッセージは、上述したように、ＲＡＢ指定要求及び無線リソース情報（ＲＲＩ）を含む。
【００５８】
制御エンティティ４は、ハンドオーバー番号を予約する。ハンドオーバー番号は、メッセージ（８．）により制御エンティティ３にシグナリングされる。ハンドオーバー番号は、既知の特徴であり、ここでは詳細に説明しない。ハンドオーバー番号は、制御エンティティ３と４との間にユーザ平面ベアラを確立できるようにするためにそれら制御エンティティにより必要とされる。
指定メッセージ（６．）及び（７．）は、次いで、典型的な指定手順に基づいてＡインターフェイスを経て送信される。
【００５９】
ベースステーションサブシステム１１とネットワーク制御エンティティ４との間で指定が行われた後に、エンティティ４は、ハンドオーバー応答（８．）を制御エンティティ３に信号する。このメッセージ（８．）は、ハンドオーバー番号と、例えば、ベースステーションサブシステム１１により選択されたチャンネルのような選択された無線リソースに関連した情報とを含む。又、このハンドオーバー応答は、「ハンドオーバー応答準備」メッセージのようなＭＡＰメッセージでもよい。
ハンドオーバー応答に基づいて、制御エンティティ３は、制御エンティティ３と４との間にユーザ平面を確立する。例えば、ＭＡＰハンドオーバー手順に基づくこの種の状態においてハンドオーバーの実行を必要とする理由は、「ＭＡＰフォワード・アクセス・シグナリング」要求のようなメッセージによってハンドオーバー番号を予約できないことである。制御エンティティ３及び４は、ハンドオーバー番号なしにそれらの間にユーザ平面を確立することができない。
【００６０】
本発明の実施形態は、移動ステーションに関して説明したが、他の適当な形式のユーザ装置にも適用できることを理解されたい。
移動ステーション１の種々のファンクションの動作は、適当なプロセッサ手段により制御できる。ユーザ装置１は、パケット交換接続及び回路交換接続を同時にもつことができ、これらは、両方とも、新たな無線ステーションへハンドオーバーすることができる。移動ステーション１の位置は、固定することもできるし（例えば、固定サイトに対して無線通信を提供するものである場合に）、又は移動ステーションは、移動することもできる（例えば、ハンドポータブルトランシーバ又は「移動電話」である場合に）。
【００６１】
本発明の実施形態は、ＧＳＭ及びＵＭＴＳ移動ネットワークを含む通信システムに関連して説明した。本発明は、同様の問題が発生する複数の異なるネットワークを備えた他の通信システムにも適用できることが明らかである。
通信システムは、ユーザ装置に対して回路交換（ＣＳ）及び／又はパケット交換（ＰＳ）サービスを提供することができる。データ通信の少なくとも一部分は回路交換サービスを経て行われる。
【００６２】
又、上記実施形態において、既存のセッションを変更するか又は新たなセッションを確立することにより変更がなされ得ることも明らかであろう。即ち、ユーザは、１つ以上のセッションをもつことができる。変更は、第１セッション又はその後のセッションに適用される。例えば、データコールセッションを変更すべき場合には、変更が第１セッションのチャンネル構成に関連したものとなる。ユーザが最初にスピーチコール（セッション１）を確立し、その後、そのスピーチコールを保留して、データコール（セッション２）を確立する場合には、その第２セッションは、例えば、第１セッションと同じ地上リソースと、「同じ」であるが変更された無線ベアラとを使用することができる。
【００６３】
上記実施形態では、他の無線技術に関連したチャンネル情報を、コアネットワーク及びアクセスネットワークの制御エンティティ間のインターフェイスを経て転送することができる。上記実施形態は、２つの移動交換センター間のような、ネットワーク制御エンティティ間のインターフェイスを参照して説明されたことが明らかであろう。本発明の実施形態は、他のネットワーク要素にも適宜に適用することができる。
又、本発明をいかに実施するかの例を説明したが、特許請求の範囲に規定された本発明の範囲から逸脱せずに、ここに開示した解決策に対して多数の変更や修正がなされ得ることにも注意されたい。
【図面の簡単な説明】
【００６４】
【図１】２つの異なるサービスを備えた公知の通信システムの構成を示す図である。
【図２】本発明の実施形態を示す図である。
【図３】通信システムに生じ得る状態に対するシグナリング図である。
【図４】通信システムに生じ得る別の状態に対するシグナリング図である。
【図５】通信システムに生じ得る更に別の状態に対するシグナリング図である。
【図６】本発明の実施形態に基づくチャンネル変更動作を示すシグナリング図である。
【図７】更に別の実施形態を示す図である。
【図１】
2004524745.tif 000003
【図２】
2004524745.tif 000004
【図３】
2004524745.tif 000005
【図４】
2004524745.tif 000006
【図５】
2004524745.tif 000007
【図６】
2004524745.tif 000008
【図７】
2004524745.tif 000009
【国際公開パンフレット】
2004524745.tif 000010
2004524745.tif 000011
2004524745.tif 000012
2004524745.tif 000013
2004524745.tif 000014
2004524745.tif 000015
2004524745.tif 000016
2004524745.tif 000017
2004524745.tif 000018
2004524745.tif 000019
2004524745.tif 000020
2004524745.tif 000021
2004524745.tif 000022
2004524745.tif 000023
2004524745.tif 000024
2004524745.tif 000025
2004524745.tif 000026
2004524745.tif 000027
2004524745.tif 000028
2004524745.tif 000029
2004524745.tif 000030
2004524745.tif 000031
2004524745.tif 000032
2004524745.tif 000033
2004524745.tif 000034
2004524745.tif 000035
2004524745.tif 000036
2004524745.tif 000037
2004524745.tif 000038
2004524745.tif 000039
2004524745.tif 000040
2004524745.tif 000041
2004524745.tif 000042
2004524745.tif 000043
2004524745.tif 000044
【国際調査報告】
2004524745.tif 000045
2004524745.tif 000046